(57)【特許請求の範囲】
【請求項１】
着用者の耳に装着される耳かけ部と、
前記耳かけ部の後端部から延在され、前記耳かけ部よりも幅広、且つ、折り畳み不能な１本のバンド状に形成され、弾性復元力により着用者の頭部を両側から挟持して前記着用者の後頭部に密着して支持される後方支持部と、
前記耳かけ部の前端部と連結部を介して連結され、前記耳かけ部の前方側に延在されると共に前記着用者の顎に沿って湾曲されたアーム部と、
前記アーム部の先端部に支持され、装着時に前記着用者の呼吸器の前方側に配置されるカバー部と、
を備え、
前記アーム部は、前記連結部を介して前記耳かけ部に対して少なくとも上下方向に相対回動可能に連結された基端部と、該基端部と前記先端部とを接続すると共に変形自在なフレキシブルチューブで構成された連結部材を備えており、
前記アーム部が前記基端部を中心に回動されることにより、側面視で前記アーム部が前記連結部、前記耳かけ部、前記後方支持部、と重なる位置に配置可能とされ、この状態において、前記連結部材が前記耳かけ部の後端部から前記後方支持部の前端部に跨って配置される、衛生マスク。
【請求項２】
前記耳かけ部は、一対設けられて前記着用者の右側及び左側の耳にそれぞれ装着され、
前記後方支持部は一対の前記耳かけ部の前記後端部同士を連結するように架け渡されて前記着用者の前記後頭部に支持され、
前記アーム部は、一方の前記耳かけ部における前記前端部と連結部を介して連結されている、
請求項１に記載の衛生マスク。
【請求項３】
前記連結部には、前記着用者の顔面と接する側の面に弾性変形可能なパット部材が配置されている、
請求項１又は請求項２に記載の衛生マスク。
【請求項４】
前記連結部によって、前記アーム部が前記耳かけ部に対して少なくとも左右方向に相対回動可能に連結されている、
請求項１〜請求項３の何れか１項に記載の衛生マスク。
【請求項５】
前記連結部は、ボールジョイント機構を用いて前記耳かけ部と前記アーム部とを連結している、
請求項１〜請求項４の何れか１項に記載の衛生マスク。
【請求項６】
前記アーム部の基端部には、前記耳かけ部と前記アーム部の先端部との距離を前後方向に調整可能なアジャスタ機構が設けられている、
請求項１〜請求項５の何れか１項に記載の衛生マスク。
【請求項７】
着用者の耳に装着される耳かけ部と、
前記耳かけ部の後端部から延在され、前記耳かけ部よりも幅広、且つ、折り畳み不能な１本のバンド状に形成され、弾性復元力により着用者の頭部を両側から挟持して前記着用者の後頭部に密着して支持される後方支持部と、
前記耳かけ部の前端部と連結部を介して連結され、前記耳かけ部の前方側に延在されると共に前記着用者の顎に沿って湾曲されると共に、装着時に前記着用者の呼吸器の前方側に配置されるカバー部が先端部に着脱可能に構成されたアーム部と、
を備え、
前記アーム部は、前記連結部を介して前記耳かけ部に対して少なくとも上下方向に相対回動可能に連結された基端部と、該基端部と前記先端部とを接続すると共に変形自在なフレキシブルチューブで構成された連結部材を備えており、
前記アーム部が前記基端部を中心に回動されることにより、側面視で前記アーム部が前記連結部、前記耳かけ部、前記後方支持部、と重なる位置に配置可能とされ、この状態において、前記連結部材が前記耳かけ部の後端部から前記後方支持部の前端部に跨って配置される、衛生マスク用フレーム。
【発明の詳細な説明】
【技術分野】
【０００１】
本発明は、衛生マスク及び衛生マスク用フレームに関する。
【背景技術】
【０００２】
特許文献１及び特許文献２には、鼻や口といった呼吸器から飛散する飛散物の拡散を抑制するための衛生マスクが開示されている。
【０００３】
特許文献１に開示された衛生マスクは、マスク本体と、マスク本体の左右両側の後端部に取り付けられた装着紐を備えている。このマスク本体は、着用時にマスク本体の下部に形成された顎当て部を着用者の顎に当てがうことでマスク本体の姿勢を安定させることができるように構成されている。これにより、装着紐が結ばれてマスク本体が頭部に固定されると、マスク本体の上部に形成された口前展開部が、顔面から離間した状態で、口から鼻の前方側に配置される。
【０００４】
一方、特許文献２に開示された衛生マスクは、着用者の顎に沿って装着される下部ボディを有するマスク本体を備えている。また、マスク本体の左右両側の後端部には、下部ボディを顔面に固定するための支持手段が設けられている。この衛生マスクは、下部ボディの中央部に設けられた顎把持部が着用者の顎に密着した状態で、支持手段を装着することにより良好な着用感を得ることができるように構成されている。
【先行技術文献】
【特許文献】
【０００５】
【特許文献１】特開２００５−１８５３８１号公報
【特許文献２】特開２０１２−１５７７８１号公報
【発明の概要】
【発明が解決しようとする課題】
【０００６】
しかしながら、上記特許文献１及び特許文献２に記載された技術では、着用時には、常にマスクの下部が着用者の顎を押圧又は密着した状態で接触することになる。そのため、長時間の着用に際しては、着用者に対して顔面の締付感や息苦しさを与えてしまう。また、着用時に会話をすると、マスク本体の位置がずれやすいといった問題がある。このため、上記各先行技術は、これらの点において改善の余地がある。
【０００７】
本発明は上記事実を考慮し、着用者の快適性を向上させることができる衛生マスク及び衛生マスク用フレームを提供することを目的とする。
【課題を解決するための手段】
【０００８】
請求項１に記載の本発明に係る衛生マスクは、着用者の耳に装着される耳かけ部と、前記耳かけ部の後端部から延在され、前記耳かけ部よりも幅広、且つ、折り畳み不能な１本のバンド状に形成され、弾性復元力により着用者の頭部を両側から挟持して前記着用者の後頭部に密着して支持される後方支持部と、前記耳かけ部の前端部と連結部を介して連結され、前記耳かけ部の前方側に延在されると共に前記着用者の顎に沿って湾曲されたアーム部と、前記アーム部の先端部に支持され、装着時に前記着用者の呼吸器の前方側に配置されるカバー部と、を備え、前記アーム部は、前記連結部を介して前記耳かけ部に対して少なくとも上下方向に相対回動可能に連結された基端部と、該基端部と前記先端部とを接続すると共に変形自在なフレキシブルチューブで構成された連結部材を備えており、前記アーム部が前記基端部を中心に回動されることにより、側面視で前記アーム部が前記連結部、前記耳かけ部、前記後方支持部、と重なる位置に配置可能とされ、この状態において、前記連結部材が前記耳かけ部の後端部から前記後方支持部の前端部に跨って配置されるように構成されている。
【０００９】
請求項１に記載の本発明に係る衛生マスクでは、フレームを構成する耳かけ部と後方支持部とアーム部を備えている。アーム部は、着用者の顎に沿って湾曲されており、アーム部の先端部にカバー部が支持されている。このカバー部は、装着時に着用者の口や鼻といった呼吸器の前方側に配置される。これにより、着用者の呼吸器から飛散する飛散物の拡散を抑制することができる。
【００１０】
ここで、上述したアーム部は、連結部を介して着用者の耳に装着される耳かけ部の前端部に連結されており、耳かけ部の後端部には、該後端部から延在して着用者の後頭部に支持される後方支持部が設けられている。すなわち、アーム部は、耳かけ部と後方支持部を介して着用者の耳と後頭部に支持されている。これにより、アーム部の先端部を着用者の顎と非接触状態にして配置可能となる。その結果、衛生マスクを長時間着用した際に、着用者に与える顔面の締付感や息苦しさが低減される。また、着用者が会話のために口を動かしてもアーム部と口元との干渉を避けることができるため、会話中におけるアーム部及びカバー部の位置ずれを防止できる。このようにして、着用者の快適性を向上させることができる。
また、耳かけ部に対してアーム部を上下方向に回動させることによりアーム部の先端部に設けられたカバー部の位置を上下方向に調整することができる。これにより、着用者ごとに異なる呼吸器の位置に合わせてカバー部の位置を最適に保つことができ、呼吸器から飛散する飛散物の拡散が効果的に抑制される。また、衛生マスクを使用しない時は、アーム部を回動させて耳かけ部及び後方支持部と重ね合わさる位置まで折り畳むことにより、衛生マスクの形態を小型化させることができる。これにより、衛生マスクの収納性を向上させることができる。
また、連結部材の形状を折り曲げて調節することにより、アーム部の基端部に対する先端部の位置を調節することができる。これにより、アーム部の先端部に設けられたカバー部を手で把持して移動させることによりカバー部の位置を容易に調節することができる。従って、例えば、衛生マスクの着用後に不意にカバー部の位置がずれてしまった場合に、顔面や頭部に着用者の手を接触させることなくカバー部の位置を元の位置に戻すことができることから、衛生管理上の安全性を向上させることができる。
【００１１】
請求項２に記載の本発明に係る衛生マスクは、請求項１に記載の構成において、前記耳かけ部は、一対設けられて前記着用者の右側及び左側の耳にそれぞれ装着され、前記後方支持部は一対の前記耳かけ部の前記後端部同士を連結するように架け渡されて前記着用者の前記後頭部に支持され、前記アーム部は、一方の前記耳かけ部における前記前端部と連結部を介して連結されている。
【００１２】
請求項２に記載の本発明に係る衛生マスクでは、着用者の耳に装着される耳かけ部が左右一対設けられており、一対の耳かけ部の後端部同士を連結するように後方支持部が掛け渡されている。このため、アーム部が一対の耳かけ部と後方支持部を介して着用者の両耳と後頭部に支持される。その結果、衛生マスクの着用時における安定感が増し、着用者の快適性を向上させることができる。
【００１３】
請求項３に記載の本発明に係る衛生マスクは、請求項１又は請求項２に記載の構成において、前記連結部には、前記着用者の顔面と接する側の面に弾性変形可能なパット部材が配置されている。
【００１４】
請求項３に記載の本発明に係る衛生マスクでは、弾性変形可能なパット部材を介して着用者の顔面に連結部が当接する構成となっている。これにより、着用時に耳かけ部と後方支持部から受ける耳の近傍の締付感が、パット部材の弾性変形によって抑制される。これにより、着用者の快適性を向上させることができる。
【００１７】
請求項４に記載の本発明に係る衛生マスクは、請求項１〜請求項３の何れか１項に記載の構成において、前記連結部によって、前記アーム部が前記耳かけ部に対して少なくとも左右方向に相対回動可能に連結されている。
【００１８】
請求項４に記載の本発明に係る衛生マスクでは、耳かけ部に対してアーム部を左右方向に回動させることによりアーム部の先端部に設けられたカバー部の位置を左右方向に調整することができる。これにより、着用者ごとに異なる呼吸器の位置に合わせてカバー部の位置を最適に保つことができ、呼吸器から飛散する飛散物の拡散が効果的に抑制される。
【００１９】
請求項５に記載の本発明に係る衛生マスクは、請求項１〜請求項４の何れか１項に記載の構成において、前記連結部は、ボールジョイント機構を用いて前記耳かけ部と前記アーム部とを連結している。
【００２０】
請求項５に記載の本発明に係る衛生マスクでは、連結部に設けられたボールジョイント機構によって耳かけ部とアーム部とが連結されている。このため、回転ヒンジ機構を用いて耳かけ部に対してアーム部を回動させる構成と比較して、アーム部の可動域を広げることができる。これにより、カバー部の位置の調整を一層効果的に行うことができる。更に、多軸式の回転ヒンジ機構を用いてアーム部の可動域を広げる構成と比べて連結部の部材点数を少なくすることができ、生産性に優れる。
【００２１】
請求項６に記載の本発明に係る衛生マスクは、請求項１〜請求項５の何れか１項に記載の構成において、前記アーム部の基端部には、前記耳かけ部と前記アーム部の先端部との距離を前後方向に調整可能なアジャスタ機構が設けられている。
【００２２】
請求項６に記載の本発明に係る衛生マスクでは、アーム部の基端部に設けられたアジャスタ機構を用いて耳かけ部とアーム部の先端部との距離を前後方向に調整可能とされている。これにより、アーム部の先端部に設けられたカバー部と着用者の呼吸器との距離を調節することができる。その結果、着用者の体格に関わらず、顔面から離間させた状態で呼吸器の前方側にカバー部を展開させることができる。
【発明の効果】
【００２５】
以上説明したように、本発明に係る衛生マスク及び衛生マスク用フレームは、着用者の快適性を向上させることができるという優れた効果を有する。
【図面の簡単な説明】
【００２６】
【図１】本実施形態に係る衛生マスクの着用時の形態を示す斜視図である。
【図２】図１に示す衛生マスクの収納時の形態であって、カバー部を取り外した状態を示す正面図である。
【図３】図２に示す衛生マスクの側面図である。
【図４】図３の４−４線に沿って切断した状態を示す断面図である。
【図５】本実施形態に係る衛生マスクのアーム部の部分拡大図である。
【図６】本実施形態に係る衛生マスクのアジャスタ機構の拡大図であり、アジャスタ機構によってアーム部の基端部が前後方向に伸縮する機能を説明するための説明図である。
【図７】本実施形態に係る衛生マスクを着用した着用者を斜め前方側から見た斜視図である。
【図８】本実施形態に係る衛生マスクを着用した着用者を斜め後方側から見た斜視図である。
【図９】本実施形態に係る衛生マスクの変形例を示す図１に対応する斜視図である。
【発明を実施するための形態】
【００２７】
以下、図１〜図８を用いて本実施形態に係る衛生マスク１０について説明する。なお、以下の説明で特記なく上下、左右の方向を用いる場合は、図７及び図８に示すように、衛生マスク１０を着用した着用者Ｐから見た上下、左右を示すものとする。
【００２８】
図１〜図８に示されるように、衛生マスク１０は、着用者Ｐの頭部Ｈに固定される衛生マスク用フレームとしてのマスク本体部１０Ａと、着用者Ｐの口Ｍや鼻Ｎなどの呼吸器の前方側に展開可能なカバー部１０Ｂとを備えている。なお、図２〜図４では、カバー部１０Ｂを省略して図示している。
【００２９】
（耳かけ部）
マスク本体部１０Ａは、着用者Ｐの両耳に装着される左右一対の耳かけ部１２を備えている。これらの耳かけ部１２は、それぞれ樹脂材料で形成されており、側面視で鉤状に湾曲されている。また、耳かけ部１２は、着用者Ｐの耳Ｅに引っ掛けることで装着可能とされている（図７参照）。耳かけ部を装着した状態では、耳かけ部１２の前端部１２Ａが着用者Ｐの耳Ｅの前方側に配置されている。一方、耳かけ部１２の後端部１２Ｂは、着用者Ｐの後頭部ＢＨに沿って後方側へ延在されている。
【００３０】
（後方支持部）
また、マスク本体部１０Ａは、左右一対の耳かけ部１２の後端部を連結するように架け渡された後方支持部１４を備えている。この後方支持部１４は、樹脂材料で形成されている。また、後方支持部１４は、平面視で円弧状に湾曲され、延在方向の両端部が一対の耳かけ部１２の後端部１２Ｂにそれぞれ接合されている。
【００３１】
本実施形態では、図４に示されるように、耳かけ部１２と後方支持部１４が別体で構成されている。耳かけ部１２と後方支持部１４は、それぞれ別々に成形された後、耳かけ部１２の後端部１２Ｂに形成された爪部と後方支持部１４の両端部に形成された被嵌合部とが爪嵌合される（いずれも符号省略）。これにより、耳かけ部１２の後端部１２Ｂに後方支持部１４の延在方向の一端部が結合されている。なお、耳かけ部１２と後方支持部１４を一体成型の方法で形成してもよい。
【００３２】
図１及び図２に示されるように、左右一対の耳かけ部１２は、着用者Ｐに装着される前の状態では互いに近接して配置されている。図８に示されるように、着用者Ｐは、一対の耳かけ部１２を把持しながら互いに離間させ、後方支持部１４の両端部を左右に押し広げて弾性変形させる。この状態で、着用者Ｐは、後方支持部１４の内側に後頭部ＢＨを挿入し、耳かけ部１２を両耳に引っ掛けることにより衛生マスク１０の装着を完了させる。そうすると、後方支持部１４は、弾性復元力により着用者Ｐの後頭部ＢＨに密着する。これにより、後方支持部１４は、着用者Ｐの後頭部ＢＨに安定して支持される。
【００３３】
また、本実施形態の後方支持部１４は、薄型のバンド状に形成されている。これにより、後頭部ＢＨとの接触面積を増やし、後方支持部１４の装着安定性を向上させている。
【００３４】
（連結部）
図１〜図４に示されるように、マスク本体部１０Ａは、一方の耳かけ部１２の前端部１２Ａに接合された連結部１６を備えている。この連結部１６は、耳かけ部１２の前端部１２Ａと後述するアーム部３０の基端部３２とを連結している。なお、他方の耳かけ部１２の前端部１２Ａには、後述するハウジング１８とパット部材２０のみが設けられている。
【００３５】
連結部１６は、樹脂材料で形成されている。この連結部１６は、略円柱箱状をなすハウジング１８と、ハウジング１８の内側面（着用者Ｐの顔面と接する面）１８Ａに配置されたパット部材２０と、ハウジング１８の外側面１８Ｂに設けられたボールジョイント機構２２を備えている。
【００３６】
（パット部材）
パット部材２０は、弾性変形可能な弾性材料で構成され、一例として、ウレタン等で形成されたクッション材やゴムによって形成することができる。このパット部材２０は、ハウジング１８と着用者Ｐの顔面の間に配置されることで連結部１６による顔面の締付感を低減させている。より具体的に説明すると、着用者Ｐが衛生マスク１０を装着した状態では、後方支持部１４の弾性復元力に伴って、耳かけ部１２の前端部１２Ａに接合された連結部１６が着用者Ｐの耳Ｅの近傍を左右両側から押圧する。この際、パット部材２０が連結部１６のハウジング１８と顔面の間で弾性変形することにより、連結部１６による顔面の締付感を低減させている。なお、パット部材２０をハウジング１８の表面よりも摩擦係数の高い材料で構成し、顔面と連結部１６の位置ずれを抑制するように構成してもよい。
【００３７】
（ボールジョイント機構）
図４に示されるように、ボールジョイント機構２２は、ハウジング１８の外側面１８Ｂに形成された球体受部２４と、アーム部３０の後述する基端部３２の一端に設けられた球体２６を含んでいる。球体受部２４は、基端部３２の球体２６を相対回転可能に保持している。また、球体受部２４と球体２６との間には、球体受部２４側に貼着などによって保持されたゴム材シートでなる図示しないゴムパッドが介在されていて、そのゴムパッドの外表面が球体２６の表面に常時重なり合って球体２６に対する摺動面２４Ａを形成している。この摺動面２４Ａの相手方摺動面は球体２６の表面である。なお、本実施形態ではボールジョイント機構２２の球体受部２４を連結部１６のハウジング１８に形成し、球体２６をアーム部３０に形成しているが、これに限らず、球体受部をアーム部に形成し、球体をハウジングに形成してもよい。
【００３８】
ボールジョイント機構２２によれば、連結部１６及び耳かけ部１２に対し、アーム部３０が球体２６を中心に図７に矢印Ａ１で示す上下方向に回動させることも、矢印Ａ２で示す左右方向に回動させることも可能である。従って、アーム部３０は、基端部３２の一端が球体受部２４の周縁部によって規制される範囲内において、連結部１６に対して全方位回転可能に連結されている。
【００３９】
（アーム部）
図１に示されるように、アーム部３０は、連結部１６を介して耳かけ部１２の前端部１２Ａから前方側に延在されている。このアーム部３０は、着用者Ｐの頬から顎Ｃのラインに沿って湾曲された形状とされており、本実施形態では、アーム部３０が略円弧状に形成されている。なお、アーム部３０を略Ｌ字状に湾曲して形成してもよい。
【００４０】
アーム部３０は、基端部３２と、先端部４８とを主たる構成として備えており、基端部３２と先端部４８が後述する連結部材４６によって連結されている。基端部３２は、略角筒状に形成された樹脂製の筒部３４を備えている。この筒部３４は、連結部１６から前方側へ着用者Ｐの頬に沿って長尺に延在している。また、筒部３４の延在方向の後端には、上述したボールジョイント機構２２を構成する球体２６が設けられている。また、筒部３４の延在方向の前端側には、アジャスタ機構３６が設けられている。
【００４１】
（アジャスタ機構）
図６（Ａ）及び図６（Ｂ）に示されるように、アジャスタ機構３６は、筒部３４の側面に形成された長孔３８と、筒部３４の側面に一体形成された弾性片４０及び係止片４２と、筒部３４の内部において、筒部３４に対して摺動可能に保持される樹脂製の摺動部４４とを備えている。
【００４２】
長孔３８は、筒部３４の延在方向に沿って長尺に形成されている。弾性片４０及び係止片４２は、筒部３４の延在方向の前端に形成されており、筒部３４の側面の意匠側と略面一に配置されている。
【００４３】
弾性片４０は、長孔に沿って延在する細長い板体とされ、長孔３８の内側に配置されている。弾性片４０の基端部は、筒部３４の側面と一体化されている。また、弾性片４０の先端部は、筒部３４の内側に向かって凸をなす係止凸部４０Ａが設けられている。
【００４４】
係止片４２は、弾性片４０の先端部の近傍に配置されている。この係止片４２は、筒部３４の側面に一体形成されると共に、長孔３８を短手方向に横断する板片とされている。
【００４５】
摺動部４４は、長尺な棒状に形成され、前端に連結部材４６の後端が固定されている。なお、連結部材４６は、一例として、公知のフレキシブルチューブで構成され、所定の外力を加えることで屈曲自在とされている。なお、連結部材４６はフレキシブルチューブに限らず、ワイヤー等の金属製の線材でもよい。
【００４６】
図６（Ａ）に示されるように、摺動部４４には、上述した弾性片４０と対向する側面に係止面部４５が設けられている。この係止面部４５には、弾性片４０側に凸をなす凸部４５Ａが連続して配置されている。また、摺動部４４の後端には、フック状に折り曲げられた係止部４５Ｂが形成されている。
【００４７】
図４及び図６（Ａ）に示されるように、弾性片４０の係止凸部４０Ａは、通常、摺動部４４の係止面部４５に隣接して配置された凸部の間に配置される。この状態では、弾性片４０に係止面部４５の凸部４５Ａが係止されて、筒部３４に対する摺動部４４の摺動が規制されている。一方、所定の引張力を摺動部４４に付与した場合、弾性片４０は、凸部４５Ａから入力される押圧力によって弾性変形されて凸部４５Ａを乗り越えることができる。これにより、摺動部４４が筒部３４に対して前後方向に摺動可能とされている（図７の矢印Ａ３参照）。このようにして、基端部３２の全長を前後方向に伸縮可能とされ、アーム部３０の先端部４８と着用者Ｐの顔面との距離を前後方向に調節可能とされている。なお、図６（Ｂ）に示されるように、摺動部４４は、所定の長さ分、筒部３４から引き出されると、後端の係止部４５Ｂが筒部３４に一体形成された係止片４２に突き当たり、これ以上の引出が規制される。これにより、摺動部４４が筒部３４から脱落しない構成とされている。
【００４８】
図５及び図７に示されるように、アーム部３０の先端部４８は、樹脂製の長尺な棒体として構成され、延在方向の後端に連結部材４６の前端が固定されている。この先端部４８は、緩やかに湾曲しながら着用者Ｐの顔の幅方向（左右方向）に延在している。また、先端部４８は、装着時に着用者Ｐの顎Ｃと非接触状態で、顎Ｃの前方側に配置可能とされている。
【００４９】
図５に示されるように、先端部４８には、着用者Ｐの顔面と対向する面に、後述するカバー部１０Ｂを着脱可能な取付部５０が設けられている。取付部５０は、先端部４８の両端部に設けられた一対の係合凸部５０Ａと、一対の係合凸部５０Ａの間に配置された一対の支持溝部５０Ｂを備えている。係合凸部５０Ａは、カバー部１０Ｂに係合されており、支持溝部５０Ｂは、カバー部１０Ｂの下端部を支持している。
【００５０】
（カバー部）
カバー部１０Ｂは、アーム部３０の先端部４８の形状に沿って湾曲された板体で構成されている。また、カバー部１０Ｂは、例えば、ポリカーボネート等のプラスチック材料を用いて透明に形成されている。このカバー部１０Ｂは、アーム部３０の先端部４８に支持されて、先端部４８の上方側に配置されている。カバー部１０Ｂは装着時に着用者Ｐの顔面と離間した状態で、口Ｍや鼻Ｎなどの呼吸器の前方側に展開可能とされている。
【００５１】
カバー部１０Ｂの下端部には、幅方向（左右方向）の両側に一対の切り込み部６０が形成されている。この切り込み部６０には、アーム部３０の係合凸部５０Ａと係合可能とされている。カバー部１０Ｂは、下端部の中央部分をアーム部３０の支持溝部５０Ｂに挿入した状態で、両側の切り込み部６０を係合凸部５０Ａに押し付けて係合させることによりアーム部３０に装着される。このように、カバー部１０Ｂは、簡単な作業でアーム部３０の先端部４８に着脱可能とされ、カバー部１０Ｂを付け替えることにより、衛生管理上の安全性を保ちつつ、複数人で衛生マスク１０を共用することができる構成とされている。
【００５２】
（作用並びに効果）
次に、本実施形態の作用並びに効果を説明する。
【００５３】
本実施形態に係る衛生マスク１０及びマスク本体部１０Ａは、着用者Ｐの顎Ｃに沿って湾曲されるアーム部３０を備えており、アーム部３０の先端部４８にカバー部１０Ｂが支持されている。このカバー部１０Ｂは、装着時に着用者Ｐの口Ｍや鼻Ｎといった呼吸器の前方側に配置される。これにより、着用者Ｐの呼吸器から飛散する飛散物の拡散を抑制することができる。
【００５４】
ここで、上述したアーム部３０は、連結部１６を介して着用者Ｐの耳Ｅに装着される耳かけ部１２の前端部１２Ａに連結されており、耳かけ部１２の後端部１２Ｂには、後端部１２Ｂから延在して着用者Ｐの後頭部ＢＨに支持される後方支持部１４が設けられている。すなわち、アーム部３０は、耳かけ部１２と後方支持部１４を介して着用者Ｐの耳Ｅと後頭部ＢＨに支持されている。これにより、アーム部３０の先端部４８を着用者Ｐの顎Ｃと非接触状態にして配置させることができる。その結果、衛生マスク１０を長時間着用した際に、着用者Ｐに与える顔面の締付感や息苦しさが低減される。また、着用者Ｐが会話のために口Ｍを動かしてもアーム部３０と口元とが干渉しないため、会話中におけるアーム部３０及びカバー部１０Ｂの位置ずれを防止することができる。このようにして、衛生マスク１０の着用時における着用者Ｐの快適性が向上する。
【００５５】
また、本実施形態では、着用者Ｐの耳Ｅに装着される耳かけ部１２が左右一対設けられており、一対の耳かけ部１２の後端部同士を連結するように後方支持部１４が掛け渡されている。このため、アーム部３０が一対の耳かけ部１２と後方支持部１４を介して着用者Ｐの両耳と後頭部ＢＨに支持される。その結果、衛生マスク１０の着用時における安定感が増し、着用者Ｐの快適性を一層向上させることができる。
【００５６】
また、本実施形態では、弾性変形可能なパット部材２０を介して着用者Ｐの顔面に連結部１６が当接する構成となっている。これにより、耳かけ部１２と後方支持部１４から受ける耳の近傍の締付感が、パット部材２０の弾性変形によって抑制される。
【００５７】
また、本実施形態では、耳かけ部１２とアーム部３０がボールジョイント機構２２を用いて連結されているため、アーム部３０を耳かけ部１２に対して上下方向及び左右方向に回動させることができる。これにより、例えば、耳かけ部１２に対してアーム部３０を上下方向に回動させると、アーム部３０の先端部４８に設けられたカバー部１０Ｂの位置を上下方向に調整することができる。その結果、着用者Ｐの呼吸器の位置に合わせてカバー部１０Ｂの位置を呼吸器の前方側の最適な位置に保つことができ、呼吸器から飛散する飛散物の拡散が効果的に抑制される。
【００５８】
また、衛生マスクを使用しない時の利便性といった観点では、図２及び図３に示されるようにアーム部３０を回動させて耳かけ部１２及び後方支持部１４と重ね合わさる位置まで折り畳むと、衛生マスク１０の形態を小型化させることができる。これにより、不使用時は省スペースで衛生マスク１０を保管することができるため、衛生マスク１０の収納性を向上させることができる。
【００５９】
また、例えば、耳かけ部１２に対してアーム部３０を左右方向に回動させると、アーム部３０の先端部４８に設けられたカバー部１０Ｂの位置を左右方向に調整することができる。これにより、着用者Ｐの顔幅に合わせてカバー部１０Ｂを呼吸器の前方側の最適な位置に保つことができる。
【００６０】
また、ボールジョイント機構２２を用いた連結構造では、例えば、公知の回転ヒンジ機構を用いて耳かけ部１２に対してアーム部３０を回動させる構成と比較して、アーム部３０の可動域を広げることができる。このため、カバー部１０Ｂの位置の微調整も容易に行うことができる。また、多軸式の回転ヒンジ機構を用いてアーム部の可動域を広げる構成と比べて、連結部１６の構造が簡易になり、部材点数を少なくすることができる。よって、衛生マスク１０の生産性を向上させることができる。
【００６１】
また、本実施形態では、アーム部３０の基端部３２に設けられたアジャスタ機構３６を用いて耳かけ部１２とアーム部３０の先端部４８との距離を前後方向に調整可能とされている。これにより、アーム部３０の先端部４８に設けられたカバー部１０Ｂと着用者Ｐの呼吸器との距離を調節することができる。その結果、着用者Ｐの頭部Ｈの大きさ、ひいては体格の大小に関わらず、顔面から離間させた状態で呼吸器の前方側にカバー部１０Ｂを展開させることができる。よって、本実施形態の衛生マスク１０は、体格の大きな着用者から体格の小さな着用者まで好適に利用することができ、汎用性に優れる。
【００６２】
また、本実施形態では、連結部材４６の形状を折り曲げて調節することにより、アーム部３０の基端部３２に対する先端部４８の位置を調節することができる。これにより、アーム部３０の先端部４８に設けられたカバー部１０Ｂを手で把持して移動させることにより、カバー部１０Ｂの位置を容易に調節することができる。従って、例えば、衛生マスク１０の着用後に不意にカバー部１０Ｂの位置がずれてしまった場合に、顔面や後頭部ＢＨに着用者Ｐの手を接触させることなくカバー部１０Ｂの位置を元の位置に戻すことができることから、衛生管理上の安全性を向上させることができる。
【００６３】
また、本実施形態では、後方支持部１４の弾性力を利用して、後方支持部１４が着用者の後頭部ＢＨに密着するように構成されている。これにより、着用者Ｐの後頭部ＢＨによって衛生マスク１０が安定して支持される。その結果、衛生マスク１０の装着安定性が増し、着用者Ｐの快適性の向上に寄与する。
【００６４】
また、本実施形態では、カバー部１０Ｂがアーム部３０に着脱可能に構成されているため、食品を扱う店舗等で複数の従業員が衛生マスク１０を使用する場合、カバー部１０Ｂだけを取り換えてマスク本体部１０Ａを共用にして供することができるため、店舗備品としてのコストを抑えることができる。また、マスク本体部１０Ａが樹脂材料で構成されているため、衛生マスクを着用者の頭部へ固定するための固定手段が紐部材やコムバンド等で構成される衛生マスクと比較して、耐久性がよく、長期間使用することができる。
[補足説明]
【００６５】
上記実施形態では、衛生マスク１０が左右一対の耳かけ部１２を備え、後方支持部１４が一対の耳かけ部１２を連結する構成としたが、本発明はこれに限らない。図９に示す変形例のように、単一の耳かけ部１２と、単一の耳かけ部１２の後端部１２Ｂから着用者Ｐの後頭部に沿って密着する後方支持部７２を備える衛生マスク７０でもよい。この衛生マスク７０においても、円弧状に形成された後方支持部１４の弾性復元力により単一の耳かけ部１２と後方支持部７２の先端部に形成された当接部７４によって着用者Ｐの後頭部ＢＨが把持される。これにより、後方支持部７２は、単一の耳かけ部１２と後方支持部７２を介して着用者Ｐの耳Ｅと後頭部ＢＨに支持される。なお、図９に示す衛生マスク７０の他の構成は、上記実施形態と同一である。
【００６６】
また、上記実施形態では、連結部１６がボールジョイント機構２２を備える構成としたが、本発明はこれに限らない。連結部に公知の回転ヒンジ機構を設けて耳かけ部に対して上下方向又は左右方向にアーム部を回動可能に連結してもよい。または、回転ヒンジ機構を例えば２軸式の回転ヒンジ機構とし、耳かけ部に対して上下方向及び左右方向にアーム部を回動可能に連結してもよい。
【００６７】
また、上記実施形態では、連結部を介して耳かけ部１２に対してアーム部３０が回動可能に連結される構成としたが、本発明はこれに限らず、連結部は、アーム部の位置が耳かけ部に対して固定される態様で、両者を連結してもよい。
【００６８】
また、上記実施形態では、カバー部１０Ｂをアーム部３０に対して着脱可能に構成したが、本発明はこれに限らない。カバー部１０Ｂをアーム部３０に対して着脱不可能に接合してもよいし、カバー部とアーム部を同一の樹脂材料で一体成形してもよい。
【符号の説明】
【００６９】
１０    衛生マスク
１０Ａ  マスク本体部（衛生マスク用フレーム）
１０Ｂ  カバー部
１２    耳かけ部
１４    後方支持部
１６    連結部
２０  パット部材
２２  ボールジョイント機構
３０    アーム部
３２  基端部
３６  アジャスタ機構
４６  連結部材
４８  先端部
７０  衛生マスク
７２  後方支持部
Ｐ    着用者
Ｅ    耳
ＢＨ  後頭部
Ｃ    顎
【要約】
【課題】着用者の快適性を向上させることができる衛生マスク及び衛生マスク用フレームを得る。
【解決手段】衛生マスク１０は、着用者Ｐの耳Ｅに装着される耳かけ部１２と、耳かけ部１２の後端部１２Ｂから延在され、着用者Ｐの後頭部ＢＨに支持される後方支持部１４と、耳かけ部１２の前端部１２Ａと連結部１６を介して連結され、耳かけ部１２の前方側に延在されると共に着用者Ｐの顎Ｃに沿って湾曲されたアーム部３０と、を含むマスク本体部１０Ａを備えている。また、衛生マスク１０は、アーム部３０の先端部４８に支持され、装着時に着用者Ｐの呼吸器の前方側に配置されるカバー部１０Ｂを備えている。
【選択図】図１【図１】
0006792301.tif 000002
【図２】
0006792301.tif 000003
【図３】
0006792301.tif 000004
【図４】
0006792301.tif 000005
【図５】
0006792301.tif 000006
【図６】
0006792301.tif 000007
【図７】
0006792301.tif 000008
【図８】
0006792301.tif 000009
【図９】
0006792301.tif 000010